(57)【要約】  貨幣処理装置１０は、通貨種類の異なる複数種類の貨幣を受け取り、受け取った貨幣を装置本体内に取り込む受入口２１と、複数の排出口２３、２４、２５と、識別部３２による貨幣の識別結果に基づいて搬送部３１から各排出口２３、２４、２５への貨幣の振り分けを行うよう、搬送部３１を制御する制御部４０と、を備えている。制御部４０は、識別部３２により識別された貨幣の通貨種類が複数の排出口２３、２４、２５の何れかに割り当てられているか否かを判定し、割り当てられている場合にはその排出口２３、２４、２５へ当該貨幣を搬送し、識別部３２により識別された貨幣の通貨種類が複数の排出口２３、２４、２５の何れにも割り当てられておらず、かつ通貨種類が割り当てられていない排出口があれば、排出口に通貨種類を割り当てるとともにその排出口へ当該貨幣を搬送するよう制御を行う。
2012104990.tif 000002
【特許請求の範囲】
【請求項１】
通貨種類の異なる複数種類の貨幣を受け取り、受け取った貨幣を装置本体内に取り込む受入口と、
複数の排出口と、
前記受入口により前記装置本体内に取り込まれた貨幣を１枚ずつ前記各排出口へ搬送する搬送部と、
前記搬送部に設けられ、通貨種類の異なる貨幣の識別を行う識別部と、
前記識別部による貨幣の識別結果に基づいて前記搬送部から前記各排出口への貨幣の振り分けを行うよう、前記搬送部を制御する制御部と、
を備え、
前記制御部は、前記識別部により識別された貨幣の通貨種類が前記複数の排出口の何れかに割り当てられているか否かを判定し、割り当てられている場合にはその排出口へ当該貨幣を搬送し、前記識別部により識別された貨幣の通貨種類が前記複数の排出口の何れにも割り当てられておらず、かつ通貨種類が割り当てられていない排出口があれば、当該排出口に前記通貨種類を割り当てるとともにその排出口へ当該貨幣を搬送するよう制御を行うことを特徴とする貨幣処理装置。
【請求項２】
前記制御部は、前記貨幣処理装置において前記各排出口へ振り分けられた貨幣について２回目の計数処理を行う際に、通貨種類毎に、前記各排出口へ貨幣を金種別に分類するよう制御を行うことを特徴とする請求項１記載の貨幣処理装置。
【請求項３】
前記制御部は、２回目の計数処理における貨幣の計数結果が１回目の計数処理における貨幣の計数結果と一致している場合には、貨幣の入金額を自動的に確定するようになっていることを特徴とする請求項２記載の貨幣処理装置。
【請求項４】
前記制御部は、前記貨幣処理装置において２回目の計数処理を行う際に、前記識別部において貨幣の真偽判定を行わせないことを特徴とする請求項２または３記載の貨幣処理装置。
【請求項５】
前記制御部は、前記貨幣処理装置において２回目の計数処理を行う際に、各々の通貨種類について、１回目の計数処理における前記識別部による貨幣の計数結果において枚数の多い金種の貨幣から順に貨幣の金種を前記各排出口に自動的に割り当てることを特徴とする請求項２乃至４のいずれか一項に記載の貨幣処理装置。
【請求項６】
前記制御部は、前記貨幣処理装置における１回目の計数処理が終了した後、確定指令が当該制御部に与えられることにより通貨種類毎に貨幣の入金額を確定するようになっていることを特徴とする請求項１乃至５のいずれか一項に記載の貨幣処理装置。
【請求項７】
前記制御部は、前記識別部によりリジェクト貨幣が検出されると、このリジェクト貨幣の通貨種類および金種が手動で当該制御部に入力され得るようになっていることを特徴とする請求項１乃至６のいずれか一項に記載の貨幣処理装置。
【請求項８】
表示部を更に備え、
前記制御部は、前記識別部によりリジェクト貨幣が検出されたときにこのリジェクト貨幣の通貨種類が前記識別部により判別されている場合には、前記貨幣処理装置における貨幣の処理を一旦停止させ、このリジェクト貨幣に係る情報を前記表示部に表示させるようになっていることを特徴とする請求項７記載の貨幣処理装置。
【請求項９】
前記制御部は、前記識別部により最初に識別された貨幣の通貨種類を複数の前記排出口に割り当てるようになっていることを特徴とする請求項１乃至８のいずれか一項に記載の貨幣処理装置。
【請求項１０】
通貨種類の異なる複数種類の貨幣を受け取り、受け取った貨幣を装置本体内に取り込む受入口と、
複数の排出口と、
前記受入口により前記装置本体内に取り込まれた貨幣を１枚ずつ前記各排出口へ搬送する搬送部と、
前記搬送部に設けられ、通貨種類の異なる貨幣の識別を行う識別部と、
前記識別部による貨幣の識別結果に基づいて前記搬送部から前記各排出口への貨幣の振り分けを行うよう、前記搬送部を制御する制御部と、
を備え、
前記制御部において、予め指定された通貨種類が特定の排出口に対して予め割り当てられており、当該制御部は、予め指定された通貨種類の貨幣が前記識別部により最初に識別されたときに、その貨幣の金種を前記特定の排出口に割り当てるようになっており、
前記制御部は、前記識別部により識別された貨幣の通貨種類および金種の両方が前記複数の排出口の何れかに割り当てられているか否かを判定し、貨幣の通貨種類および金種の両方が割り当てられている場合にはその排出口へ当該貨幣を搬送するよう制御を行うことを特徴とする貨幣処理装置。
【請求項１１】
予め指定された通貨種類が複数の前記特定の排出口に対して予め割り当てられることを特徴とする請求項１０記載の貨幣処理装置。
【請求項１２】
前記制御部は、前記識別部により識別された貨幣の通貨種類が前記予め指定された通貨種類ではない場合に、通貨種類が割り当てられていない排出口があれば当該排出口に前記通貨種類を割り当てるとともにその排出口へ当該貨幣を搬送し、割り当てられている場合にはその排出口へ当該貨幣を搬送するよう制御を行うことを特徴とする請求項１０または１１記載の貨幣処理装置。
【請求項１３】
通貨種類の異なる複数種類の貨幣を受け取り、受け取った貨幣を装置本体内に取り込む受入口と、
複数の排出口と、
前記受入口により前記装置本体内に取り込まれた貨幣を１枚ずつ前記各排出口へ搬送する搬送部と、
前記搬送部に設けられ、通貨種類の異なる貨幣の識別を行う識別部と、
前記識別部による貨幣の識別結果に基づいて前記搬送部から前記各排出口への貨幣の振り分けを行うよう、前記搬送部を制御する制御部と、
を備え、
前記制御部において、予め指定された分類種別が特定の排出口に対して予め割り当てられており、当該制御部は、予め指定された分類種別の貨幣が前記識別部により最初に識別されたときに、その貨幣の通貨種類を前記特定の排出口に割り当てるようになっており、
前記制御部は、前記識別部により識別された貨幣の通貨種類および分類種別の両方が前記複数の排出口の何れかに割り当てられているか否かを判定し、貨幣の通貨種類および分類種別の両方が割り当てられている場合にはその排出口へ当該貨幣を搬送するよう制御を行うことを特徴とする貨幣処理装置。
【請求項１４】
前記制御部は、前記特定の排出口に対して通貨種類が割り当てられた後、他の通貨種類の貨幣が前記識別部により識別されたときに、当該他の通貨種類を前記特定の排出口以外の排出口に割り当てるようになっていることを特徴とする請求項１３記載の貨幣処理装置。
【請求項１５】
前記分類種別は、３以上の貨幣の正券／損券レベルであることを特徴とする請求項１３または１４記載の貨幣処理装置。
【請求項１６】
前記制御部は、前記識別部により最初に識別された貨幣の通貨種類を３以上の前記排出口に割り当て、このうち２つの排出口には前記予め指定された一の分類種別の各々が割り当てられることを特徴とする請求項１３乃至１５のいずれか一項に記載の貨幣処理装置。
【請求項１７】
表示部を更に備え、
前記制御部は、各々の通貨種類の貨幣の合計金額、ならびに／あるいは、金種毎の枚数または金額を、通貨種類毎に切り換え方式により択一的に前記表示部に表示させるようになっていることを特徴とする請求項１乃至１６のいずれか一項に記載の貨幣処理装置。
【請求項１８】
前記制御部は、各々の通貨種類の貨幣の合計金額を前記表示部に表示させる際に、各々の通貨種類の貨幣の合計金額を特定の通貨種類に換算して表示させることを特徴とする請求項１７記載の貨幣処理装置。
【請求項１９】
表示部を更に備え、
前記制御部は、各排出口に割り当てられた通貨種類を前記表示部に表示させるようになっていることを特徴とする請求項１乃至１６のいずれか一項に記載の貨幣処理装置。
【請求項２０】
前記通貨種類は、貨幣の発行国を含む発行組織により定められるものであることを特徴とする請求項１乃至１９のいずれか一項に記載の貨幣処理装置。
【請求項２１】
前記通貨種類は、貨幣の発行国を含む発行組織により定められるものに加え、通貨代用媒体の種類も含むことを特徴とする請求項１乃至１９のいずれか一項に記載の貨幣処理装置。
【発明の詳細な説明】
【技術分野】
【０００１】
本発明は、紙幣や硬貨等の貨幣の処理を行う貨幣処理装置に関し、とりわけ、様々な貨幣の発行国等により発行された貨幣が受入口に混合状態で載置された場合において、貨幣の仕分け作業を効率的に行うことができる貨幣処理装置に関する。
【背景技術】
【０００２】
従来から、紙幣等の貨幣を仕分ける仕分け処理装置として様々な種類のものが知られている。例えば、特開２００５−１６５８０６号公報には、１つの受入口と、複数（例えば３つ）の排出口とが設けられ、受入口により装置本体内に取り込まれた紙幣が１枚ずつ搬送部により搬送されるとともに識別部により識別され、金種別に各排出口に振り分けられるような仕分け処理装置が開示されている。【０００３】
また、従来の仕分け処理装置として、各排出口に貨幣の金種を割り当てるタイプのものが知られている。このような仕分け処理装置では、識別部により識別された貨幣の金種が複数の排出口の何れかに割り当てられているか否かを判定し、割り当てられている場合にはその排出口へ当該貨幣を搬送するようになっている。一方、識別部により識別された貨幣の金種が複数の排出口の何れにも割り当てられておらず、かつ金種が割り当てられていない排出口があれば、識別部により識別された貨幣の金種をこの排出口に割り当て、この貨幣を当該排出口に送るようになっている。また、識別部により識別された貨幣の金種が割り当てられた排出口が満杯であり、かつ金種が割り当てられていない排出口があれば、識別部により識別された貨幣の金種をこの排出口に割り当て、この貨幣を当該排出口に送るようになっている。また、識別部により識別された貨幣の金種が複数の排出口の何れにも割り当てられておらず、かつ金種が割り当てられていない排出口がなければ、この貨幣をリジェクト部に送るようになっている。そして、排出口が貨幣で満杯になると、操作者がこの排出口から貨幣を取り出すとともに、当該排出口における金種の割り当てがリセットされる。このような仕分け処理装置によれば、とりわけ貨幣の金種に偏りがある場合において、すなわちある特定の金種の貨幣の量が他の金種の貨幣の量よりも十分に多い場合において、貨幣を金種毎に仕分ける作業を迅速に行うことができる。
【発明の開示】
【０００４】
しかしながら、従来の仕分け処理装置では、様々な貨幣の発行国や発行組織（例えば、ＥＵ）により発行された貨幣が受入口に混合状態で載置されたときには、とりわけ特定の発行国や発行組織の貨幣が他の通貨種類の貨幣よりも多い場合に、仕分け処理装置による仕分け作業に時間がかかるという問題があった。すなわち、様々な貨幣の発行国や発行組織により発行された貨幣を一括して一つの仕分け処理装置で処理する場合、従来の仕分け処理装置では各排出口に対して貨幣の各発行国等を予め割り当てておくが、特定の発行国等により発行された貨幣の含まれる割合が大きい場合でも、この貨幣に対応する排出口を増やしたり変更したりすることができないため、貨幣の仕分け作業が非効率となる。
【０００５】
本発明は、このような点を考慮してなされたものであり、様々な貨幣の発行国等により発行された貨幣が受入口に混合状態で載置された場合において、貨幣の仕分け作業を効率的に行うことができる貨幣処理装置を提供することを目的とする。
【０００６】
本発明は、通貨種類の異なる複数種類の貨幣を受け取り、受け取った貨幣を装置本体内に取り込む受入口と、複数の排出口と、前記受入口により前記装置本体内に取り込まれた貨幣を１枚ずつ前記各排出口へ搬送する搬送部と、前記搬送部に設けられ、通貨種類の異なる貨幣の識別を行う識別部と、前記識別部による貨幣の識別結果に基づいて前記搬送部から前記各排出口への貨幣の振り分けを行うよう、前記搬送部を制御する制御部と、を備え、前記制御部は、前記識別部により識別された貨幣の通貨種類が前記複数の排出口の何れかに割り当てられているか否かを判定し、割り当てられている場合にはその排出口へ当該貨幣を搬送し、前記識別部により識別された貨幣の通貨種類が前記複数の排出口の何れにも割り当てられておらず、かつ通貨種類が割り当てられていない排出口があれば、当該排出口に前記通貨種類を割り当てるとともにその排出口へ当該貨幣を搬送するよう制御を行うことを特徴とする貨幣処理装置である。
【０００７】
本発明の貨幣処理装置においては、前記制御部は、前記貨幣処理装置において前記各排出口へ振り分けられた貨幣について２回目の計数処理を行う際に、通貨種類毎に、前記各排出口へ貨幣を金種別に分類するよう制御を行うようになっていてもよい。
【０００８】
この際に、前記制御部は、２回目の計数処理における貨幣の計数結果が１回目の計数処理における貨幣の計数結果と一致している場合には、貨幣の入金額を自動的に確定するようになっていてもよい。
【０００９】
また、前記制御部は、前記貨幣処理装置において２回目の計数処理を行う際に、前記識別部において貨幣の真偽判定を行わせないようになっていてもよい。
【００１０】
また、前記制御部は、前記貨幣処理装置において２回目の計数処理を行う際に、各々の通貨種類について、１回目の計数処理における前記識別部による貨幣の計数結果において枚数の多い金種の貨幣から順に貨幣の金種を前記各排出口に自動的に割り当てるようになっていてもよい。
【００１１】
本発明の貨幣処理装置においては、前記制御部は、前記貨幣処理装置における１回目の計数処理が終了した後、確定指令が当該制御部に与えられることにより通貨種類毎に貨幣の入金額を確定するようになっていてもよい。
【００１２】
また、前記制御部は、前記識別部によりリジェクト貨幣が検出されると、このリジェクト貨幣の通貨種類および金種が手動で当該制御部に入力され得るようになっていてもよい。
【００１３】
この際に、表示部を更に備え、前記制御部は、前記識別部によりリジェクト貨幣が検出されたときにこのリジェクト貨幣の通貨種類が前記識別部により判別されている場合には、前記貨幣処理装置における貨幣の処理を一旦停止させ、このリジェクト貨幣に係る情報を前記表示部に表示させるようになっていてもよい。
【００１４】
本発明の貨幣処理装置においては、前記制御部は、前記識別部により最初に識別された貨幣の通貨種類を複数の前記排出口に割り当てるようになっていてもよい。
【００１５】
本発明は、通貨種類の異なる複数種類の貨幣を受け取り、受け取った貨幣を装置本体内に取り込む受入口と、複数の排出口と、前記受入口により前記装置本体内に取り込まれた貨幣を１枚ずつ前記各排出口へ搬送する搬送部と、前記搬送部に設けられ、通貨種類の異なる貨幣の識別を行う識別部と、前記識別部による貨幣の識別結果に基づいて前記搬送部から前記各排出口への貨幣の振り分けを行うよう、前記搬送部を制御する制御部と、を備え、前記制御部において、予め指定された通貨種類が特定の排出口に対して予め割り当てられており、当該制御部は、予め指定された通貨種類の貨幣が前記識別部により最初に識別されたときに、その貨幣の金種を前記特定の排出口に割り当てるようになっており、前記制御部は、前記識別部により識別された貨幣の通貨種類および金種の両方が前記複数の排出口の何れかに割り当てられているか否かを判定し、貨幣の通貨種類および金種の両方が割り当てられている場合にはその排出口へ当該貨幣を搬送するよう制御を行うことを特徴とする貨幣処理装置である。
【００１６】
本発明の貨幣処理装置においては、予め指定された通貨種類が複数の前記特定の排出口に対して予め割り当てられるようになっていてもよい。
【００１７】
また、前記制御部は、前記識別部により識別された貨幣の通貨種類が前記予め指定された通貨種類ではない場合に、通貨種類が割り当てられていない排出口があれば当該排出口に前記通貨種類を割り当てるとともにその排出口へ当該貨幣を搬送し、割り当てられている場合にはその排出口へ当該貨幣を搬送するよう制御を行うようになっていてもよい。
【００１８】
本発明は、通貨種類の異なる複数種類の貨幣を受け取り、受け取った貨幣を装置本体内に取り込む受入口と、複数の排出口と、前記受入口により前記装置本体内に取り込まれた貨幣を１枚ずつ前記各排出口へ搬送する搬送部と、前記搬送部に設けられ、通貨種類の異なる貨幣の識別を行う識別部と、前記識別部による貨幣の識別結果に基づいて前記搬送部から前記各排出口への貨幣の振り分けを行うよう、前記搬送部を制御する制御部と、を備え、前記制御部において、予め指定された分類種別が特定の排出口に対して予め割り当てられており、当該制御部は、予め指定された分類種別の貨幣が前記識別部により最初に識別されたときに、その貨幣の通貨種類を前記特定の排出口に割り当てるようになっており、前記制御部は、前記識別部により識別された貨幣の通貨種類および分類種別の両方が前記複数の排出口の何れかに割り当てられているか否かを判定し、貨幣の通貨種類および分類種別の両方が割り当てられている場合にはその排出口へ当該貨幣を搬送するよう制御を行うことを特徴とする貨幣処理装置である。
【００１９】
本発明の貨幣処理装置においては、前記制御部は、前記特定の排出口に対して通貨種類が割り当てられた後、他の通貨種類の貨幣が前記識別部により識別されたときに、当該他の通貨種類を前記特定の排出口以外の排出口に割り当てるようになっていてもよい。
【００２０】
また、前記分類種別は、３以上の貨幣の正券／損券レベルであってもよい。
【００２１】
また、前記制御部は、前記識別部により最初に識別された貨幣の通貨種類を３以上の前記排出口に割り当て、このうち２つの排出口には前記予め指定された一の分類種別の各々が割り当てられるようになっていてもよい。
【００２２】
上述のような貨幣処理装置においては、表示部を更に備え、前記制御部は、各々の通貨種類の貨幣の合計金額、ならびに／あるいは、金種毎の枚数または金額を、通貨種類毎に切り換え方式により択一的に前記表示部に表示させるようになっていてもよい。
【００２３】
この場合、前記制御部は、各々の通貨種類の貨幣の合計金額を前記表示部に表示させる際に、各々の通貨種類の貨幣の合計金額を特定の通貨種類に換算して表示させるようになっていてもよい。
【００２４】
また、上述のような貨幣処理装置においては、表示部を更に備え、前記制御部は、各排出口に割り当てられた通貨種類を前記表示部に表示させるようになっていてもよい。
【００２５】
また、前記通貨種類は、貨幣の発行国を含む発行組織により定められるものであってもよい。
【００２６】
あるいは、前記通貨種類は、貨幣の発行国を含む発行組織により定められるものに加え、通貨代用媒体の種類も含むようになっていてもよい。
【図面の簡単な説明】
【００２７】
【図１】本発明の実施の形態における紙幣処理装置の外観を示す斜視図である。
【図２】図１に示す紙幣処理装置の内部構成の概略を示す概略構成図である。
【図３】図１および図２に示す紙幣処理装置の機能ブロック図である。
【図４】各々の通貨種類の紙幣の束が複数積み重ねられた状態を示す斜視図である。
【図５】紙幣処理装置の動作の第１の態様における、各スタッカの設定内容、ならびに各スタッカおよびリジェクト部に集積される紙幣の種類を示す説明図である。
【図６】紙幣処理装置の動作の第１の態様における、紙幣の１回目の計数処理方法を示すフローチャートである。
【図７】紙幣処理装置の動作の第１の態様における、紙幣の２回目の計数処理方法を示すフローチャートである。
【図８】紙幣処理装置の動作の第２の態様における、各スタッカの設定内容、ならびに各スタッカおよびリジェクト部に集積される紙幣の種類を示す説明図である。
【図９】紙幣処理装置の動作の第２の態様における、紙幣の１回目の計数処理方法を示すフローチャートである。
【図１０】紙幣処理装置の動作の第３の態様における、各スタッカの設定内容、ならびに各スタッカおよびリジェクト部に集積される紙幣の種類を示す説明図である。
【図１１】紙幣処理装置の動作の第３の態様における、紙幣の１回目の計数処理方法を示すフローチャートである。
【図１２】紙幣処理装置の動作の第４の態様における、各スタッカの設定内容、ならびに各スタッカおよびリジェクト部に集積される紙幣の種類を示す説明図である。
【発明を実施するための形態】
【００２８】
以下、図面を参照して本発明の実施の形態について説明する。本実施の形態において、本発明の貨幣処理装置として紙幣を処理する紙幣処理装置を用いた場合について説明を行っている。
【００２９】
まず、図１乃至図３により、本実施の形態の紙幣処理装置の全体構成について説明する。
【００３０】
図１は、本実施の形態における紙幣処理装置１０の外観を示す斜視図であり、図２は、図１に示す紙幣処理装置１０の内部構成の概略を示す概略構成図である。図１に示すように、紙幣処理装置１０は、略直方体形状の筐体１１と、複数の紙幣を受け取り、受け取った紙幣を筐体１１内に取り込む受入口２１と、第１のスタッカ（第１の排出口）２３と、第２のスタッカ（第２の排出口）２４と、第３のスタッカ（第３の排出口）２５と、リジェクト部２２とを備えている。
【００３１】
より具体的に説明すると、操作者によって複数の紙幣が積層状態で受入口２１に載置されるようになっている。また、図２に示すように、受入口２１には繰出機構２１ａが設けられており、受入口２１に載置された紙幣は繰出機構２１ａにより１枚ずつ筐体１１内に取り込まれるようになっている。
【００３２】
また、図２に示すように、紙幣処理装置１０の筐体１１内には搬送部３１が設けられており、この搬送部３１により、繰出機構２１ａにより筐体１１内に取り込まれた紙幣が筐体１１内で１枚ずつ順次搬送されるようになっている。
【００３３】
図２に示すように、搬送部３１には識別部３２が設けられている。この識別部３２は、搬送部３１により搬送される紙幣の金種、真偽、正損等を識別するようになっている。識別部３２による紙幣の識別結果は後述する制御部４０に送られるようになっている。
【００３４】
図２に示すように、第１のスタッカ２３、第２のスタッカ２４および第３のスタッカ２５はそれぞれ搬送部３１に接続されており、識別部３２による紙幣の識別結果に基づいて、搬送部３１から３つのスタッカ２３、２４、２５のうちいずれか一つのスタッカに紙幣が送られるようになっている。そして、各スタッカ２３、２４、２５において紙幣が集積状態で集積されるようになっている。また、図１に示すように、各スタッカ２３、２４、２５には筐体１１の外部から操作者がアクセスすることができるようになっている。このことにより、各スタッカ２３、２４、２５に紙幣が集積されると、操作者はこれらのスタッカ２３、２４、２５から紙幣の束を取り出すことができるようになる。また、図２に示すように、各スタッカ２３、２４、２５にはそれぞれ羽根車２３ａ、２４ａ、２５ａが設けられている。各羽根車２３ａ、２４ａ、２５ａは、搬送部３１から各スタッカ２３、２４、２５内に向かって放出される紙幣を、隣り合う羽根部分の間のスペースに受け入れ、紙幣の向きや位置が整えられた状態でこの紙幣を各スタッカ２３、２４、２５に集積させる機能を有している。
【００３５】
また、リジェクト部２２も搬送部３１に接続されており、識別部３２による紙幣の識別結果に基づいて、具体的には例えば識別部３２によりリジェクト紙幣であると識別された紙幣や識別部３２により識別することができなかった紙幣、あるいは識別部３２により搬送異常が検出された紙幣は、搬送部３１からリジェクト部２２に送られるようになっている。
【００３６】
また、図１に示すように、紙幣処理装置１０の筐体１１の前面には操作表示部４１が設けられている。操作表示部４１には複数の操作キーが設けられており、操作者がこれらの操作キーを押下することにより後述する制御部４０に対して様々な指令が送られるようになっている。また、操作表示部４１にはモニタが設けられており、紙幣処理装置１０における紙幣の処理状況、具体的には例えば各スタッカ２３、２４、２５に集積された紙幣の枚数や金額等が表示されるようになっている。操作表示部４１のモニタにおける表示内容の詳細については後述する。
【００３７】
また、図１に示すように、紙幣処理装置１０の筐体１１の前面において、各スタッカ２３、２４、２５に対応して３つの表示部４３、４４、４５がそれぞれ設けられている。これらの表示部４３、４４、４５における表示内容の詳細については後述する。
【００３８】
また、図３に示すように、紙幣処理装置１０には制御部４０が設けられており、この制御部４０により紙幣処理装置１０の各構成要素の制御が行われるようになっている。具体的には、制御部４０には繰出機構２１ａ、搬送部３１、識別部３２、各羽根車２３ａ、２４ａ、２５ａがそれぞれ接続されており、識別部３２による紙幣の識別結果が制御部４０に送られるとともに、制御部４０から繰出機構２１ａ、搬送部３１および各羽根車２３ａ、２４ａ、２５ａに制御信号が送られることによりこれらの構成要素が制御部４０により制御されるようになっている。また、図３に示すように、制御部４０には操作表示部４１や各表示部４３、４４、４５がそれぞれ接続されており、これらの操作表示部４１や各表示部４３、４４、４５における表示内容が制御部４０により制御されるようになっている。また、前述のように、操作表示部４１により操作者が制御部４０に対して様々な指令を送ることができるようになっている。
【００３９】
また、図３に示すように、紙幣処理装置１０には記憶部４６が設けられており、この記憶部４６は制御部４０に接続されるようになっている。また、紙幣処理装置１０にはインターフェース４８が設けられており、このインターフェース４８は制御部４０に接続されるようになっている。制御部４０は、インターフェース４８を介して、紙幣処理装置１０の外部に設けられた上位装置等と信号の送受信を行うことができるようになっている。
【００４０】
次に、このような構成からなる紙幣処理装置１０の動作について説明する。より詳細には、通貨種類の異なる複数種類の紙幣を紙幣処理装置１０により処理する際の紙幣処理装置１０の動作について以下に説明する。ここで、通貨種類とは、紙幣の発行国を含む発行組織により定められるものである。具体的には、通貨種類として、例えば日本円、アメリカドル、ユーロ、トルコリラ等が挙げられる。なお、以下に示すような紙幣処理装置１０の動作は、制御部４０が紙幣処理装置１０の各構成要素を制御することにより行われるようになっている。
【００４１】
紙幣処理装置１０の動作の第１の態様において、初期状態ではどのスタッカ２３、２４、２５にも通貨種類が割り当てられていない。言い換えると、各スタッカ２３、２４、２５の設定は「通貨種類オート」となっている（図５における「１回目の計数処理」参照）。
【００４２】
まず、図４に示すように、各々の通貨種類の紙幣の束が複数積み重ねられる。具体的には、ある通貨種類の紙幣の束の上に、他の通貨種類の紙幣の束が積み重ねられるようにして、複数の紙幣の束が形成される。より詳細には、例えば、アメリカドルの紙幣の束の上にユーロ紙幣の束が積み重ねられ、このユーロ紙幣の束の上にトルコリラの紙幣の束が更に積み重ねられる。この際に、アメリカドルの紙幣の束、ユーロ紙幣の束およびトルコリラの紙幣の束はそれぞれ金種混合状態となっている。
【００４３】
次に、図４に示すような複数の紙幣の束について、１回目の計数処理を行う。具体的には、図４に示すような複数の紙幣の束を一括して紙幣処理装置１０の受入口２１に載置する。そして、受入口２１に載置された紙幣は、１枚ずつ繰出機構２１ａにより筐体１１内に取り込まれるようになる。筐体１１内に取り込まれた紙幣は識別部３２により識別が行われる（図６のＳＴＥＰ１）。
【００４４】
本実施の形態の紙幣処理装置１０においては、１回目の計数処理において、制御部４０は、識別部３２により識別された紙幣の通貨種類が３つのスタッカ２３、２４、２５の何れかに割り当てられているか否かを判定するようになっている（図６のＳＴＥＰ２）。そして、識別部３２により識別された紙幣の通貨種類が３つのスタッカ２３、２４、２５の何れかに割り当てられている場合には（図６のＳＴＥＰ２の「ＹＥＳ」）、そのスタッカに紙幣を搬送する（図６のＳＴＥＰ３）。一方、識別部３２により識別された紙幣の通貨種類が３つのスタッカ２３、２４、２５の何れにも割り当てられていない場合は（図６のＳＴＥＰ２の「ＮＯ」）、制御部４０は、通貨種類が割り当てられていないスタッカが存在するか否かを判定する（図６のＳＴＥＰ４）。そして、通貨種類が割り当てられていないスタッカが存在する場合には（図６のＳＴＥＰ４の「ＹＥＳ」）、識別部３２により識別された紙幣の通貨種類をそのスタッカに割り当てるとともに、そのスタッカに当該紙幣を搬送する（図６のＳＴＥＰ５）。一方、通貨種類が割り当てられていないスタッカが存在しない場合には（図６のＳＴＥＰ４の「ＮＯ」）、識別部３２により識別された紙幣をリジェクト部２２に搬送する（図６のＳＴＥＰ６）。
【００４５】
なお、識別部３２により識別された紙幣が偽券等の正常な紙幣ではない場合や、識別部３２により紙幣を識別することができなかった場合、ならびに紙幣に搬送異常が検出された場合は、この紙幣はリジェクト紙幣としてリジェクト部２２に搬送されるようになっている。
【００４６】
上述のような図６のＳＴＥＰ１〜６に示すような動作は、受入口２１から筐体１１内に紙幣が全て取り込まれるまで行われる（図６のＳＴＥＰ７の「ＮＯ」）。そして、受入口２１から筐体１１内に紙幣が全て取り込まれると（図６のＳＴＥＰ７の「ＹＥＳ」）、１回目の計数処理が終了する。
【００４７】
次に、図６のフローチャートに示すような紙幣の１回目の計数処理について、図４に示すような複数の通貨種類の紙幣の束が一括して紙幣処理装置１０の受入口２１に載置された場合の具体例を以下に説明する。
【００４８】
図４に示すような複数の紙幣の束が一括して紙幣処理装置１０の受入口２１に載置されると、まずアメリカドルの紙幣が筐体１１内に取り込まれる。そして、１枚目のアメリカドルの紙幣が識別部３２により識別されると、初期状態ではどのスタッカ２３、２４、２５にも通貨種類が割り当てられていないため（図６のＳＴＥＰ２の「ＮＯ」およびＳＴＥＰ４の「ＹＥＳ」）、３つのスタッカのうち例えば第１のスタッカ２３に通貨種類としてアメリカドルが割り当てられる。そして、１枚目のアメリカドルの紙幣はこの第１のスタッカ２３に送られる。そして、２枚目以降のアメリカドルの紙幣が筐体１１内に取り込まれ、識別部３２により識別されると、第１のスタッカ２３に通貨種類としてアメリカドルが割り当てられているため（図６のＳＴＥＰ２の「ＹＥＳ」）、アメリカドルの紙幣は全て第１のスタッカ２３に送られる。このようにして、第１のスタッカ２３にはアメリカドルの紙幣が金種混合状態で集積される（図５参照）。
【００４９】
次に、アメリカドルの紙幣に引き続いてユーロ紙幣が筐体１１内に取り込まれる。そして、１枚目のユーロ紙幣が識別部３２により識別されると、第１のスタッカ２３に通貨種類としてアメリカドルが割り当てられており他のスタッカ２４、２５には通貨種類が割り当てられていないため（図６のＳＴＥＰ２の「ＮＯ」およびＳＴＥＰ４の「ＹＥＳ」）、通貨種類が割り当てられていない２つのスタッカのうち例えば第２のスタッカ２４に通貨種類としてユーロが割り当てられる。そして、１枚目のユーロ紙幣はこの第２のスタッカ２４に送られる。そして、２枚目以降のユーロ紙幣が筐体１１内に取り込まれ、識別部３２により識別されると、第２のスタッカ２４に通貨種類としてユーロが割り当てられているため（図６のＳＴＥＰ２の「ＹＥＳ」）、ユーロ紙幣は全て第２のスタッカ２４に送られる。このようにして、第２のスタッカ２４にはユーロ紙幣が金種混合状態で集積される（図５参照）。
【００５０】
次に、ユーロ紙幣に引き続いてトルコリラの紙幣が筐体１１内に取り込まれる。そして、１枚目のトルコリラの紙幣が識別部３２により識別されると、第１、第２のスタッカ２３、２４に通貨種類としてアメリカドル、ユーロがそれぞれ割り当てられており第３のスタッカ２５には通貨種類が割り当てられていないため（図６のＳＴＥＰ２の「ＮＯ」およびＳＴＥＰ４の「ＹＥＳ」）、通貨種類が割り当てられていない第３のスタッカ２５に通貨種類としてトルコリラが割り当てられる。そして、１枚目のトルコリラの紙幣はこの第３のスタッカ２５に送られる。そして、２枚目以降のトルコリラの紙幣が筐体１１内に取り込まれ、識別部３２により識別されると、第３のスタッカ２５に通貨種類としてトルコリラが割り当てられているため（図６のＳＴＥＰ２の「ＹＥＳ」）、トルコリラの紙幣は全て第３のスタッカ２５に送られる。このようにして、第３のスタッカ２５にはトルコリラの紙幣が金種混合状態で集積される（図５参照）。
【００５１】
なお、３つのスタッカ２３、２４、２５に通貨種類としてアメリカドル、ユーロ、トルコリラがそれぞれ割り当てられた後、識別部３２により識別された紙幣の通貨種類が、上述のようなアメリカドル、ユーロ、トルコリラ以外のものである場合には（具体的には、例えば日本円の紙幣である場合には）、この紙幣はリジェクト部２２に搬送される（図５参照）。
【００５２】
図６のフローチャートに示すような紙幣の１回目の計数処理が終了した後、各スタッカ２３、２４、２５に対応する各表示部４３、４４、４５には、対応するスタッカにどの通貨種類の紙幣が集積されているかが表示されるようになる。具体的には、第１の表示部４３には「アメリカドル」と表示され、第２の表示部４４には「ユーロ」と表示され、第３の表示部４５には「トルコリラ」と表示される。なお、紙幣の１回目の計数処理が終了した後に各表示部４３、４４、４５に各通貨種類が表示される代わりに、図６のＳＴＥＰ５に示すように各スタッカ２３、２４、２５に紙幣の通貨種類が割り当てられたときに、各表示部４３、４４、４５に通貨種類が表示されるようになっていてもよい。また、各スタッカ２３、２４、２５にどの通貨種類が割り当てられたかという情報は、各表示部４３、４４、４５に表示される代わりに操作表示部４１のモニタに表示されるようになっていてもよい。
【００５３】
また、紙幣の１回目の計数処理が終了した後、操作表示部４１によって操作者により確定指令が制御部４０に与えられることにより、通貨種類毎に紙幣の入金額を確定するようになっている。具体的には、操作表示部４１のモニタには、各スタッカ２３、２４、２５に集積されたアメリカドルの紙幣、ユーロ紙幣、トルコリラの紙幣の合計金額が切り換え方式により択一的に表示される。すなわち、操作表示部４１のモニタにはまず第１のスタッカ２３に集積されたアメリカドルの紙幣の合計金額が表示され、操作者が操作表示部４１の切換キーを押下すると次に第２のスタッカ２４に集積されたユーロ紙幣の合計金額が表示され、操作者が操作表示部４１の切換キーを更に押下すると次に第３のスタッカ２５に集積されたトルコリラの紙幣の合計金額が表示され、操作者が操作表示部４１の切換キーを更に押下すると操作表示部４１のモニタにおける表示が第１のスタッカ２３に集積されたアメリカドルの紙幣の合計金額に戻る。そして、操作表示部４１のモニタに各々の通貨種類の紙幣の合計金額が表示されているときに、操作者が操作表示部４１の確定キーを押下すると、その通貨種類に係る紙幣の入金額が確定されるようになる。
【００５４】
なお、各々の通貨種類の紙幣の合計金額を操作表示部４１に表示させる際に、各々の通貨種類の紙幣の合計金額を特定の通貨種類（例えば、アメリカドル）に換算して表示させるようになっていてもよい。この場合には、例えばユーロ紙幣の合計金額やトルコリラの紙幣の合計金額がそれぞれアメリカドルに換算されて操作表示部４１に表示されるようになる。
【００５５】
また、操作表示部４１には、アメリカドルの紙幣、ユーロ紙幣、トルコリラの紙幣の合計金額が切り換え方式により択一的に表示される代わりに、アメリカドルの紙幣、ユーロ紙幣、トルコリラの紙幣の金種毎の枚数または金額が切り換え方式により択一的に表示されるようになっていてもよい。
【００５６】
なお、本実施の形態の紙幣処理装置１０においては、上述のような１回目の計数処理において識別部３２によりリジェクト紙幣が検出されると、操作者はこのリジェクト紙幣の通貨種類および金種を操作表示部４１により手動で制御部４０に入力することができるようになっていてもよい。また、制御部４０は、識別部３２によりリジェクト紙幣が検出されたときにこのリジェクト紙幣の通貨種類が識別部３２により判別されている場合には、紙幣処理装置１０における紙幣の処理を一旦停止させ、このリジェクト紙幣に係る情報を操作表示部４１のモニタに表示させるようになっていてもよい。この場合には、操作者が操作表示部４１により手動で制御部４０にリジェクト紙幣の情報の入力を行う際に、操作表示部４１のモニタに表示されたリジェクト紙幣に係る情報、具体的には例えばリジェクト紙幣の通貨種類等を目視にて確認しながら入力を行うことができるようになる。
【００５７】
そして、上述のような紙幣の１回目の計数処理が終了した後、各スタッカ２３、２４、２５に通貨種類毎に振り分けられた紙幣についてそれぞれ紙幣の２回目の計数処理を行う。具体的には、各スタッカ２３、２４、２５から紙幣の束をそれぞれ取り出し、取り出された３つの通貨種類別の紙幣の束についてそれぞれ紙幣の２回目の計数処理を行う。ここで、紙幣の２回目の計数処理において、通貨種類毎に、各スタッカ２３、２４、２５へ紙幣を金種別に分類するようになっている。なお、紙幣の２回目の計数処理を行うにあたり、初期状態ではどのスタッカ２３、２４、２５にも金種が割り当てられていない。言い換えると、各スタッカ２３、２４、２５の設定は「金種オート」となっている（図５における「２回目の計数処理」参照）。
【００５８】
紙幣の２回目の計数処理について図７に示すフローチャートを用いて具体的に説明する。まず、第１のスタッカ２３から取り出された紙幣の束を紙幣処理装置１０の受入口２１に載置する。ここで、第１のスタッカ２３から取り出された紙幣の束は、アメリカドルの紙幣が金種混合状態で集積されたものである。そして、受入口２１に載置された紙幣は、１枚ずつ繰出機構２１ａにより筐体１１内に取り込まれるようになる。筐体１１内に取り込まれた紙幣は識別部３２により識別が行われる（図７のＳＴＥＰ１１）。なお、紙幣の２回目の計数処理において、識別部３２において紙幣の真偽判定を行わせないようになっていてもよい。なぜならば、紙幣の１回目の計数処理において紙幣の真偽判定は既に行われているため、紙幣の２回目の計数処理において紙幣の真偽判定を行わなくとも、偽券が各スタッカ２３、２４、２５に送られることはないからである。
【００５９】
本実施の形態の紙幣処理装置１０においては、２回目の計数処理において、制御部４０は、識別部３２により識別された紙幣の金種が３つのスタッカ２３、２４、２５の何れかに割り当てられているか否かを判定するようになっている（図７のＳＴＥＰ１２）。そして、識別部３２により識別された紙幣の金種が３つのスタッカ２３、２４、２５の何れかに割り当てられている場合には（図７のＳＴＥＰ１２の「ＹＥＳ」）、そのスタッカに紙幣を搬送する（図７のＳＴＥＰ１３）。一方、識別部３２により識別された紙幣の金種が３つのスタッカ２３、２４、２５の何れにも割り当てられていない場合は（図７のＳＴＥＰ１２の「ＮＯ」）、制御部４０は、金種が割り当てられていないスタッカが存在するか否かを判定する（図７のＳＴＥＰ１４）。そして、金種が割り当てられていないスタッカが存在する場合には（図７のＳＴＥＰ１４の「ＹＥＳ」）、識別部３２により識別された紙幣の金種をそのスタッカに割り当てるとともに、そのスタッカに当該紙幣を搬送する（図７のＳＴＥＰ１５）。なお、識別部３２により識別された紙幣の金種が３つのスタッカ２３、２４、２５の何れかに割り当てられている場合でも、金種が割り当てられているスタッカが満杯であり、かつ金種が割り当てられていないスタッカが存在する場合には、識別部３２により識別された紙幣の金種をそのスタッカに割り当てるとともに、そのスタッカに当該紙幣を搬送する。一方、金種が割り当てられていないスタッカが存在しない場合には（図７のＳＴＥＰ１４の「ＮＯ」）、識別部３２により識別された紙幣をリジェクト部２２に搬送する（図７のＳＴＥＰ１６）。
【００６０】
上述のような図７のＳＴＥＰ１１〜１６に示すような動作は、受入口２１から筐体１１内に紙幣が全て取り込まれるまで行われる（図７のＳＴＥＰ１７の「ＮＯ」）。そして、受入口２１から筐体１１内に紙幣が全て取り込まれると（図７のＳＴＥＰ１７の「ＹＥＳ」）、２回目の計数処理が終了する。なお、上述のような紙幣の２回目の計数処理は、通貨種類の各々について行われる。すなわち、アメリカドルの紙幣、ユーロ紙幣およびトルコリラの紙幣の各々について、図７のフローチャートに示すような紙幣の２回目の計数処理が行われる。
【００６１】
次に、上述のような紙幣の２回目の計数処理について、第１のスタッカ２３から取り出されたアメリカドルの紙幣の束を紙幣処理装置１０の受入口２１に載置した場合の具体例を以下に説明する。
【００６２】
第１のスタッカ２３から取り出されたアメリカドルの紙幣の束が紙幣処理装置１０の受入口２１に載置されると、アメリカドルの紙幣が筐体１１内に１枚ずつ取り込まれる。そして、１枚目のアメリカドルの紙幣が識別部３２により識別され、この紙幣の金種が例えば１００ドル紙幣であった場合には、初期状態ではどのスタッカ２３、２４、２５にも金種が割り当てられていないため（図７のＳＴＥＰ１２の「ＮＯ」およびＳＴＥＰ１４の「ＹＥＳ」）、３つのスタッカのうち例えば第１のスタッカ２３に金種として１００ドルが割り当てられる。そして、この１００ドル紙幣は第１のスタッカ２３に送られる。その後、２枚目以降の１００ドル紙幣が筐体１１内に取り込まれ、識別部３２により識別されると、第１のスタッカ２３に金種として１００ドルが割り当てられているため（図７のＳＴＥＰ１２の「ＹＥＳ」）、この１００ドル紙幣は全て第１のスタッカ２３に送られる。
【００６３】
一方、１００ドル紙幣以外の金種の紙幣、具体的には例えば２０ドル紙幣が筐体１１内に取り込まれ、識別部３２により識別されると、第１のスタッカ２３に金種として１００ドルが割り当てられており他のスタッカ２４、２５には金種が割り当てられていないため（図７のＳＴＥＰ１２の「ＮＯ」およびＳＴＥＰ１４の「ＹＥＳ」）、金種が割り当てられていない２つのスタッカのうち例えば第２のスタッカ２４に金種として２０ドルが割り当てられる。そして、この２０ドル紙幣は第２のスタッカ２４に送られる。その後、２枚目以降の２０ドル紙幣が筐体１１内に取り込まれ、識別部３２により識別されると、第２のスタッカ２４に金種として２０ドルが割り当てられているため（図７のＳＴＥＰ１２の「ＹＥＳ」）、この２０ドル紙幣は全て第２のスタッカ２４に送られる。
【００６４】
また、第２のスタッカ２４に金種として２０ドルが割り当てられた後、１００ドル紙幣や２０ドル以外の金種の紙幣、具体的には例えば１０ドル紙幣が筐体１１内に取り込まれ、識別部３２により識別されると、第１、第２のスタッカ２３、２４に金種として１００ドル、２０ドルがそれぞれ割り当てられており第３のスタッカ２５には金種が割り当てられていないため（図７のＳＴＥＰ１２の「ＮＯ」およびＳＴＥＰ１４の「ＹＥＳ」）、金種が割り当てられていない第３のスタッカ２５に金種として１０ドルが割り当てられる。そして、この１０ドル紙幣は第３のスタッカ２５に送られる。その後、２枚目以降の１０ドル紙幣が筐体１１内に取り込まれ、識別部３２により識別されると、第３のスタッカ２５に金種として１０ドルが割り当てられているため（図７のＳＴＥＰ１２の「ＹＥＳ」）、この１０ドル紙幣は全て第３のスタッカ２５に送られる。
【００６５】
なお、紙幣の２回目の計数処理において、識別部３２により識別された紙幣において搬送異常等が検出された場合にはこの紙幣はリジェクト紙幣としてリジェクト部２２に搬送される。また、３つのスタッカ２３、２４、２５に金種として１００ドル、２０ドル、１０ドルがそれぞれ割り当てられた後、識別部３２により識別された紙幣の金種が、上述のような１００ドル、２０ドル、１０ドル以外のものである場合には（具体的には、例えば５ドル紙幣である場合には）、この紙幣はリジェクト部２２に搬送される（図５参照）。また、アメリカドルの紙幣以外の通貨種類の紙幣が識別部３２により識別された場合も、この紙幣はリジェクト部２２に搬送される（図５参照）。
【００６６】
図７のフローチャートに示すような紙幣の２回目の計数処理が終了した後、各スタッカ２３、２４、２５に対応する各表示部４３、４４、４５には、対応するスタッカにどの金種の紙幣が集積されているかが表示されるようになる。具体的には、第１の表示部４３には「１００ドル」と表示され、第２の表示部４４には「２０ドル」と表示され、第３の表示部４５には「１０ドル」と表示される。なお、紙幣の２回目の計数処理が終了した後に各表示部４３、４４、４５に各金種が表示される代わりに、図７のＳＴＥＰ１５に示すように各スタッカ２３、２４、２５に紙幣の金種が割り当てられたときに、各表示部４３、４４、４５に金種が表示されるようになっていてもよい。
【００６７】
また、アメリカドルの紙幣について２回目の計数処理が終了した後、操作表示部４１のモニタには、各スタッカ２３、２４、２５に集積されたアメリカドルの紙幣の金種別の枚数や合計金額、および／または全金種の合計金額が表示される。そして、操作者が操作表示部４１の確定キーを押下すると、アメリカドルの紙幣の入金額が確定されるようになる。
【００６８】
アメリカドルの紙幣に関して２回目の計数処理が終了すると、次に、ユーロ紙幣、トルコリラの紙幣について、上述のようなアメリカドルの紙幣の２回目の計数処理と同様に、２回目の計数処理がそれぞれ行われる。そして、アメリカドルの紙幣、ユーロ紙幣、トルコリラの紙幣の各々について２回目の計数処理を行うと、本実施の形態による紙幣処理装置１０の動作が完了する。
【００６９】
なお、図６および図７に示すような紙幣の１回目および２回目の計数処理において、２回目の計数処理における紙幣の計数結果が１回目の計数処理における紙幣の計数結果と一致している場合には、操作者が操作表示部４１により手動で紙幣の入金額の確定を行わなくても、制御部４０が紙幣の入金額を自動的に確定するようになっていてもよい。この場合は、操作者にとって紙幣の２回目の計数処理の終了後に入金額の確定を手動で行うという手間を省くことができるようになる。
【００７０】
以上のように本実施の形態の紙幣処理装置１０によれば、紙幣の１回目の計数処理において、識別部３２により識別された紙幣の通貨種類が複数のスタッカ（排出口）２３、２４、２５の何れかに割り当てられているか否かを判定し（図６のＳＴＥＰ２）、割り当てられている場合にはそのスタッカへ当該紙幣を搬送し（図６のＳＴＥＰ３）、一方、識別部３２により識別された紙幣の通貨種類が複数のスタッカ２３、２４、２５の何れにも割り当てられておらず、かつ通貨種類が割り当てられていないスタッカがあれば（図６のＳＴＥＰ４の「ＹＥＳ」）、このスタッカに前述の通貨種類を割り当てるとともにそのスタッカへ紙幣を搬送するようになっている（図６のＳＴＥＰ５）。このような紙幣処理装置１０によれば、様々な発行国等により発行された紙幣が受入口２１に混合状態で載置された場合において、紙幣の仕分け作業を効率的に行うことができるようになる。
【００７１】
また、本実施の形態の紙幣処理装置１０においては、各スタッカ２３、２４、２５へ振り分けられた紙幣について２回目の計数処理を行う際に、図５に示すように、通貨種類毎に、各スタッカ２３、２４、２５へ紙幣を金種別に分類するようになっている。
【００７２】
なお、本実施の形態による紙幣処理装置１０は、上記の態様に限定されるものではなく、様々の変更を加えることができる。
【００７３】
例えば、紙幣の２回目の計数処理は、図７に示すフローチャートによる動作に限定されることはない。他の例として、制御部４０は、紙幣の２回目の計数処理を行う際に、各々の通貨種類について、１回目の計数処理における識別部３２による紙幣の計数結果において枚数の多い金種の紙幣から順に紙幣の金種を各スタッカ２３、２４、２５に自動的に割り当てるようになっていてもよい。具体的には、紙幣の１回目の計数処理が行われた後、例えば第１のスタッカ２３に集積されたアメリカドルの紙幣について、５ドル紙幣、１０ドル紙幣、２０ドル紙幣、１００ドル紙幣の順に集積された枚数が多い場合には、制御部４０は、紙幣の２回目の計数処理を行う際に、第１のスタッカ２３に紙幣の金種として５ドルを、第２のスタッカ２４に紙幣の金種として１０ドルを、第３のスタッカ２５に紙幣の金種として２０ドルをそれぞれ自動的に予め割り当てるようになる。
【００７４】
また、制御部４０は、紙幣の１回目の計数処理において、識別部３２により最初に識別された紙幣の通貨種類を複数のスタッカに割り当てるようになっていてもよい。具体的には、例えば、紙幣の１回目の計数処理において、識別部３２により最初に識別された紙幣の通貨種類がアメリカドルである場合には、制御部４０は、第１のスタッカ２３および第２のスタッカ２４にそれぞれ通貨種類としてアメリカドルを割り当てるようになっていてもよい。この場合、次にユーロ紙幣が識別部３２により識別されたときには、第３のスタッカ２５に通貨種類としてユーロが割り当てられ、その後、トルコリラの紙幣が識別部３２により識別されたときには、このトルコリラの紙幣はリジェクト部２２に搬送されるようになる。このような紙幣の計数処理の方法は、とりわけ、紙幣処理装置１０により処理されるべき紙幣について、特定の発行国等により発行された紙幣（具体的には、例えばアメリカドルの紙幣）の含まれる割合が大きい場合において、この紙幣に対応するスタッカを増やすことにより、紙幣の仕分け作業をより効率的なものすることができる。
【００７５】
また、上述のような紙幣処理装置１０の動作の第１の態様において、紙幣の１回目の計数処理を行う際に、初期状態ではどのスタッカ２３、２４、２５にも通貨種類が割り当てられていないが、紙幣処理装置１０の動作の他の態様において、紙幣の１回目の計数処理を行う際に、少なくともいずれか一つのスタッカにおいて特定の通貨種類が予め割り当てられるようになっていてもよい。
【００７６】
以下に示すような紙幣処理装置１０の動作の第２の態様においては、予め指定された通貨種類が特定のスタッカに対して予め割り当てられている。具体的には、図８に示すように、第１、第２のスタッカ２３、２４において通貨種類として例えばアメリカドルがそれぞれ予め割り当てられている。言い換えると、第１、第２のスタッカ２３、２４の設定は、それぞれ「アメリカドル・金種オート」となっている。一方、第３のスタッカ２５には通貨種類が割り当てられていない。言い換えると、第３のスタッカ２５の設定は「通貨種類オート」となっている。
【００７７】
次に、図４に示すような複数の紙幣の束について、１回目の計数処理を行う。具体的には、図４に示すような複数の紙幣の束を一括して紙幣処理装置１０の受入口２１に載置する。そして、受入口２１に載置された紙幣は、１枚ずつ繰出機構２１ａにより筐体１１内に取り込まれるようになる。筐体１１内に取り込まれた紙幣は識別部３２により識別が行われる（図９のＳＴＥＰ２１）。
【００７８】
本実施の形態の紙幣処理装置１０においては、１回目の計数処理において、制御部４０は、識別部３２により識別された紙幣の通貨種類が、予め指定された通貨種類（具体的には、アメリカドル）であるか否かを判定するようになっている（図９のＳＴＥＰ２２）。そして、識別部３２により識別された紙幣の通貨種類が、予め指定された通貨種類（アメリカドル）である場合には（図９のＳＴＥＰ２２の「ＹＥＳ」）、制御部４０は、識別された紙幣の金種が、予め指定された通貨種類に関するスタッカ（具体的には、第１、第２のスタッカ２３、２４）に割り当てられているか否かを判定する（図９のＳＴＥＰ２３）。そして、識別部３２により識別された紙幣の金種が、予め指定された通貨種類に関するスタッカに割り当てられている場合には（図９のＳＴＥＰ２３の「ＹＥＳ」）、そのスタッカに紙幣を搬送する（図９のＳＴＥＰ２４）。一方、識別部３２により識別された紙幣の金種が、予め指定された通貨種類に関するスタッカの何れにも割り当てられていない場合は（図９のＳＴＥＰ２３の「ＮＯ」）、制御部４０は、予め指定された通貨種類に関するスタッカのうち、金種が割り当てられていないスタッカが存在するか否かを判定する（図９のＳＴＥＰ２５）。そして、金種が割り当てられていないスタッカが存在する場合には（図９のＳＴＥＰ２５の「ＹＥＳ」）、識別部３２により識別された紙幣の金種をそのスタッカに割り当てるとともに、そのスタッカに当該紙幣を搬送する（図９のＳＴＥＰ２６）。一方、予め指定された通貨種類に関するスタッカのうち、金種が割り当てられていないスタッカが存在しない場合には（図９のＳＴＥＰ２５の「ＮＯ」）、識別部３２により識別された紙幣をリジェクト部２２に搬送する（図９のＳＴＥＰ２７）。
【００７９】
また、識別部３２により識別された紙幣の通貨種類が、予め指定された通貨種類（アメリカドル）ではない場合には（図９のＳＴＥＰ２２の「ＮＯ」）、制御部４０は、識別部３２により識別された紙幣の通貨種類が３つのスタッカ２３、２４、２５の何れかに割り当てられているか否かを判定するようになっている（図９のＳＴＥＰ２８）。そして、識別部３２により識別された紙幣の通貨種類が３つのスタッカ２３、２４、２５の何れかに割り当てられている場合には（図９のＳＴＥＰ２８の「ＹＥＳ」）、そのスタッカに紙幣を搬送する（図９のＳＴＥＰ２９）。一方、識別部３２により識別された紙幣の通貨種類が３つのスタッカ２３、２４、２５の何れにも割り当てられていない場合は（図９のＳＴＥＰ２８の「ＮＯ」）、制御部４０は、通貨種類が割り当てられていないスタッカが存在するか否かを判定する（図９のＳＴＥＰ３０）。そして、通貨種類が割り当てられていないスタッカが存在する場合には（図９のＳＴＥＰ３０の「ＹＥＳ」）、識別部３２により識別された紙幣の通貨種類をそのスタッカに割り当てるとともに、そのスタッカに当該紙幣を搬送する（図９のＳＴＥＰ３１）。一方、通貨種類が割り当てられていないスタッカが存在しない場合には（図９のＳＴＥＰ３０の「ＮＯ」）、識別部３２により識別された紙幣をリジェクト部２２に搬送する（図９のＳＴＥＰ３２）。
【００８０】
なお、識別部３２により識別された紙幣が偽券等の正常な紙幣ではない場合や、識別部３２により紙幣を識別することができなかった場合、ならびに紙幣の搬送異常が検出された場合は、この紙幣はリジェクト紙幣としてリジェクト部２２に搬送されるようになっている。
【００８１】
上述のような図９のＳＴＥＰ２１〜３２に示すような動作は、受入口２１から筐体１１内に紙幣が全て取り込まれるまで行われる（図９のＳＴＥＰ３３の「ＮＯ」）。そして、受入口２１から筐体１１内に紙幣が全て取り込まれると（図９のＳＴＥＰ３３の「ＹＥＳ」）、紙幣の１回目の計数処理が終了する。
【００８２】
次に、図９のフローチャートに示すような紙幣の１回目の計数処理について、図４に示すような複数の紙幣の束が一括して紙幣処理装置１０の受入口２１に載置された場合の具体例を以下に説明する。
【００８３】
図４に示すような複数の紙幣の束が一括して紙幣処理装置１０の受入口２１に載置されると、まずアメリカドルの紙幣が筐体１１内に取り込まれる。そして、１枚目のアメリカドルの紙幣が識別部３２により識別されると、この紙幣の通貨種類は、予め指定された通貨種類（すなわち、第１、第２のスタッカ２３、２４に予め割り当てられた紙幣の通貨種類）に該当するため（図９のＳＴＥＰ２２の「ＹＥＳ」）、第１、第２のスタッカ２３、２４のうちいずれか一方のスタッカに、この１枚目のアメリカドルの紙幣の金種が割り当てられる。具体的には、１枚目のアメリカドルの紙幣の金種が例えば１００ドル紙幣である場合には、初期状態では第１、第２のスタッカ２３、２４の何れにも金種が割り当てられていないため（図９のＳＴＥＰ２３の「ＮＯ」およびＳＴＥＰ２５の「ＹＥＳ」）、第１、第２のスタッカ２３、２４のうち例えば第１のスタッカ２３に金種として１００ドルが割り当てられる。そして、この１００ドル紙幣は第１のスタッカ２３に送られる。その後、２枚目以降の１００ドル紙幣が筐体１１内に取り込まれ、識別部３２により識別されると、第１のスタッカ２３に金種として１００ドルが割り当てられているため（図９のＳＴＥＰ２３の「ＹＥＳ」）、この１００ドル紙幣は全て第１のスタッカ２３に送られる（図８参照）。
【００８４】
一方、１００ドル紙幣以外の金種の紙幣、具体的には例えば２０ドル紙幣が筐体１１内に取り込まれ、識別部３２により識別されると、第１のスタッカ２３に金種として１００ドルが割り当てられており第２のスタッカ２４には金種が割り当てられていないため（図９のＳＴＥＰ２３の「ＮＯ」およびＳＴＥＰ２５の「ＹＥＳ」）、この第２のスタッカ２４に金種として２０ドルが割り当てられる。そして、この２０ドル紙幣は第２のスタッカ２４に送られる。その後、２枚目以降の２０ドル紙幣が筐体１１内に取り込まれ、識別部３２により識別されると、第２のスタッカ２４に金種として２０ドルが割り当てられているため（図９のＳＴＥＰ２３の「ＹＥＳ」）、この２０ドル紙幣は全て第２のスタッカ２４に送られる（図８参照）。なお、第１、第２のスタッカ２３、２４に金種として１００ドル、２０ドルがそれぞれ割り当てられた後、識別部３２により識別された紙幣の金種が、上述のような１００ドル、２０ドル以外のアメリカドルの紙幣である場合には（具体的には、例えば１０ドル紙幣である場合には）、この紙幣はリジェクト部２２に搬送される（図９のＳＴＥＰ２７）。
【００８５】
次に、アメリカドルの紙幣に引き続いてユーロ紙幣が筐体１１内に取り込まれる。そして、１枚目のユーロ紙幣が識別部３２により識別されると、第１、第２のスタッカ２３、２４に通貨種類としてアメリカドルが割り当てられており第３のスタッカ２５には通貨種類が割り当てられていないため（図９のＳＴＥＰ２８の「ＮＯ」およびＳＴＥＰ３０の「ＹＥＳ」）、第３のスタッカ２５に通貨種類としてユーロが割り当てられる。そして、１枚目のユーロ紙幣はこの第３のスタッカ２５に送られる。その後、２枚目以降のユーロ紙幣が筐体１１内に取り込まれ、識別部３２により識別されると、第３のスタッカ２５に通貨種類としてユーロが割り当てられているため（図９のＳＴＥＰ２８の「ＹＥＳ」）、ユーロ紙幣は全て第３のスタッカ２５に送られる。このようにして、第３のスタッカ２５にはユーロ紙幣が金種混合状態で集積される（図８参照）。
【００８６】
次に、ユーロ紙幣に引き続いてトルコリラの紙幣が筐体１１内に取り込まれるが、各スタッカ２３、２４、２５に通貨種類としてアメリカドルまたはユーロが既に割り当てられているため、トルコリラの紙幣はリジェクト部２２に搬送される（図９のＳＴＥＰ３２）。
【００８７】
このようにして、紙幣の１回目の計数処理が終了すると、第１のスタッカ２３にはアメリカドルの１００ドル紙幣が集積され、第２のスタッカ２４にはアメリカドルの２０ドル紙幣が集積され、第３のスタッカ２５にはユーロ紙幣が金種混合状態で集積されるようになる。一方、リジェクト部２２には、リジェクト紙幣に加えて、１００ドル、２０ドル以外のアメリカドルの紙幣や、アメリカドル、ユーロ以外の通貨種類の紙幣（例えば、トルコリラの紙幣）が集積されるようになる。なお、第３のスタッカ２５に集積されたユーロ紙幣については、図７のフローチャートに示すような２回目の計数処理を行ってもよい。
【００８８】
以上のように、図８および図９に示すような紙幣処理装置１０の動作の第２の態様においては、予め指定された通貨種類が特定のスタッカに対して予め割り当てられており（具体的には、アメリカドルが第１、第２のスタッカ２３、２４に対して予め割り当てられており）、予め指定された通貨種類の紙幣が識別部３２により最初に識別されたときに、その紙幣の金種が特定のスタッカ（具体的には、例えば第１のスタッカ２３）に割り当てられるようになっている。そして、制御部４０は、識別部３２により識別された紙幣の通貨種類および金種の両方が複数のスタッカ２３、２４、２５の何れかに割り当てられているか否かを判定し（図９のＳＴＥＰ２２およびＳＴＥＰ２３）、紙幣の通貨種類および金種の両方が割り当てられている場合には（図９のＳＴＥＰ２３の「ＹＥＳ」）、そのスタッカへ当該紙幣を搬送するよう制御を行うようになっている。このような紙幣処理装置１０の動作の第２の態様によれば、予め指定された通貨種類の紙幣について、紙幣の１回目の計数処理において通貨種類および金種の両方の仕分けを一度に行うことができるので、紙幣の仕分け作業をより一層効率的に行うことができるようになる。
【００８９】
なお、上述のような紙幣処理装置１０の動作の第２の態様においては、図８に示すように、予め指定された通貨種類が複数のスタッカ（具体的には、第１、第２のスタッカ２３、２４）に対して予め割り当てられるようになっている。
【００９０】
また、上述のような紙幣処理装置１０の動作の第２の態様においては、識別部３２により識別された紙幣の通貨種類が予め指定された通貨種類ではない場合に（図９のＳＴＥＰ２２の「ＮＯ」）、通貨種類が割り当てられていないスタッカがあれば当該スタッカに上述の通貨種類を割り当てるとともにそのスタッカへ当該紙幣を搬送し（図９のＳＴＥＰ３１）、通貨種類が割り当てられている場合にはそのスタッカへ当該紙幣を搬送する（図９のＳＴＥＰ２９）ようになっている。
【００９１】
また、紙幣処理装置１０の動作の更に他の態様において、紙幣の１回目の計数処理を行う際に、予め指定された通貨種類の代わりに、予め指定された分類種別が１または複数の特定のスタッカに対して予め割り当てられていてもよい。ここで、分類種別とは、紙幣の正券／損券や、表券／裏券、あるいは紙幣の向き等のことをいう。具体的には、一のスタッカに例えば正券が予め割り当てられるとともに他のスタッカに例えば損券が予め割り当てられる。あるいは、一のスタッカに例えば表券が予め割り当てられるとともに他のスタッカに例えば裏券が予め割り当てられる。
【００９２】
以下に示すような紙幣処理装置１０の動作の第３の態様においては、予め指定された分類種別として正券／損券が特定の２つのスタッカに対して予め割り当てられている。具体的には、図１０に示すように、第１のスタッカ２３に分類種別として正券が予め割り当てられるとともに第２のスタッカ２４に分類種別として損券が予め割り当てられている。なお、これらの第１、第２のスタッカ２３、２４には通貨種類は割り当てられていない。言い換えると、第１、第２のスタッカ２３、２４の設定は、それぞれ「通貨種類オート・正券」「通貨種類オート・損券」となっている。一方、第３のスタッカ２５には通貨種類や分類種別は何ら割り当てられていない。言い換えると、第３のスタッカ２５の設定は「通貨種類オート」となっている。
【００９３】
次に、図４に示すような複数の紙幣の束について、１回目の計数処理を行う。具体的には、図４に示すような複数の紙幣の束を一括して紙幣処理装置１０の受入口２１に載置する。そして、受入口２１に載置された紙幣は、１枚ずつ繰出機構２１ａにより筐体１１内に取り込まれるようになる。筐体１１内に取り込まれた紙幣は識別部により識別が行われる（図１１のＳＴＥＰ４１）。
【００９４】
本実施の形態の紙幣処理装置１０においては、１回目の計数処理において、特定のスタッカ（第１、第２のスタッカ２３、２４）に通貨種類が割り当てられておらず、かつ識別された紙幣が予め設定された分類種別（正券または損券）である場合には（図１１のＳＴＥＰ４２の「ＹＥＳ」）、特定のスタッカ全てに、識別された紙幣の通貨種類を割り当て、特定のスタッカのうち分類種別が一致するスタッカに紙幣を搬送するようになっている（図１１のＳＴＥＰ４３）。一方、特定のスタッカ（第１、第２のスタッカ２３、２４）に通貨種類が既に割り当てられている場合や、特定のスタッカに通貨種類が割り当てられていないが識別された紙幣が予め設定された分類種別ではない場合には（図１１のＳＴＥＰ４２の「ＮＯ」）、制御部４０は、識別部３２により識別された紙幣の通貨種類および分類種別の両方、または紙幣の通貨種類（スタッカに分類種別が割り当てられていない場合）が３つのスタッカ２３、２４、２５の何れかに割り当てられた内容と一致するか否かを判定するようになっている（図１１のＳＴＥＰ４４）。そして、識別部３２により識別された紙幣の通貨種類および分類種別の両方、または紙幣の通貨種類が３つのスタッカ２３、２４、２５の何れかに割り当てられた内容と一致する場合には（図１１のＳＴＥＰ４４の「ＹＥＳ」）、そのスタッカに紙幣を搬送する（図１１のＳＴＥＰ４５）。一方、識別部３２により識別された紙幣の通貨種類および分類種別の両方、または紙幣の通貨種類が３つのスタッカ２３、２４、２５の何れかに割り当てられた内容と一致しない場合は（図１１のＳＴＥＰ４４の「ＮＯ」）、制御部４０は、通貨種類が割り当てられていないスタッカが存在するか否かを判定する（図１１のＳＴＥＰ４６）。そして、通貨種類が割り当てられていないスタッカが存在する場合には（図１１のＳＴＥＰ４６の「ＹＥＳ」）、識別部３２により識別された紙幣の通貨種類をそのスタッカに割り当てるとともに、そのスタッカに当該紙幣を搬送する（図１１のＳＴＥＰ４７）。一方、通貨種類が割り当てられていないスタッカが存在しない場合には（図１１のＳＴＥＰ４６の「ＮＯ」）、識別部３２により識別された紙幣をリジェクト部２２に搬送する（図１１のＳＴＥＰ４８）。
【００９５】
なお、識別部３２により識別された紙幣が偽券等の正常な紙幣ではない場合や、識別部３２により紙幣を識別することができなかった場合、ならびに紙幣の搬送異常が検出された場合は、この紙幣はリジェクト紙幣としてリジェクト部２２に搬送されるようになっている。
【００９６】
上述のような図１１のＳＴＥＰ４１〜４８に示すような動作は、受入口２１から筐体１１内に紙幣が全て取り込まれるまで行われる（図１１のＳＴＥＰ４９の「ＮＯ」）。そして、受入口２１から筐体１１内に紙幣が全て取り込まれると（図１１のＳＴＥＰ４９の「ＹＥＳ」）、１回目の計数処理が終了する。
【００９７】
次に、図１１のフローチャートに示すような紙幣の１回目の計数処理について、図４に示すような複数の紙幣の束が一括して紙幣処理装置１０の受入口２１に載置された場合の具体例を以下に説明する。
【００９８】
図４に示すような複数の紙幣の束が一括して紙幣処理装置１０の受入口２１に載置されると、まずアメリカドルの紙幣が筐体１１内に取り込まれる。そして、１枚目のアメリカドルの紙幣が識別部３２により識別され、この１枚目のアメリカドルの紙幣が正券であると識別部３２により識別されると、１枚目のアメリカドルの紙幣が識別部３２により識別された時点で特定のスタッカである第１、第２のスタッカ２３、２４には通貨種類が割り当てられていないので（図１１のＳＴＥＰ４２の「ＹＥＳ」）、これらの第１、第２のスタッカ２３、２４に通貨種類としてアメリカドルが割り当てられるようになる（図１１のＳＴＥＰ４３）。また、識別部３２により識別された１枚目のアメリカドルの紙幣は、分類種別として正券が割り当てられている第１のスタッカ２３に搬送される。
【００９９】
その後、２枚目以降のアメリカドルの紙幣が識別部３２により識別されると、特定のスタッカである第１、第２のスタッカ２３、２４に通貨種類が既に割り当てられているため（図１１のＳＴＥＰ４２の「ＮＯ」）、この識別されたアメリカドルの紙幣が正券である場合には、当該紙幣は分類種別として正券が割り当てられている第１のスタッカ２３に搬送され、一方、識別されたアメリカドルの紙幣が損券である場合には、当該紙幣は分類種別として損券が割り当てられている第２のスタッカ２４に搬送される（図１１のＳＴＥＰ４５）。このようにして、第１、第２のスタッカ２３、２４には、それぞれアメリカドルの紙幣の正券および損券がそれぞれ金種混合状態で集積されるようになる（図１０参照）。
【０１００】
次に、アメリカドルの紙幣に引き続いてユーロ紙幣が筐体１１内に取り込まれる。そして、１枚目のユーロ紙幣が識別部３２により識別されると、第１および第２のスタッカ２３、２４に通貨種類としてアメリカドルが割り当てられており第３のスタッカ２５には通貨種類が割り当てられていないため（図１１のＳＴＥＰ４４の「ＮＯ」およびＳＴＥＰ４６の「ＹＥＳ」）、第３のスタッカ２５に通貨種類としてユーロが割り当てられる。そして、１枚目のユーロ紙幣はこの第３のスタッカ２５に送られる。そして、２枚目以降のユーロ紙幣が筐体１１内に取り込まれ、識別部３２により識別されると、第３のスタッカ２５に通貨種類としてユーロが割り当てられているため（図１１のＳＴＥＰ４４の「ＹＥＳ」）、ユーロ紙幣は全て第３のスタッカ２５に送られる。このようにして、第３のスタッカ２５にはユーロ紙幣が金種混合状態で集積される（図１０参照）。
【０１０１】
次に、ユーロ紙幣に引き続いてトルコリラの紙幣が筐体１１内に取り込まれるが、各スタッカ２３、２４、２５に通貨種類としてアメリカドルまたはユーロが既に割り当てられているため、トルコリラの紙幣はリジェクト部２２に搬送される（図１１のＳＴＥＰ４８）。
【０１０２】
このようにして、紙幣の１回目の計数処理が終了すると、第１のスタッカ２３にはアメリカドルの紙幣の正券が金種混合状態で集積され、第２のスタッカ２４にはアメリカドルの紙幣の損券が金種混合状態で集積され、第３のスタッカ２５にはユーロ紙幣が金種混合状態で集積されるようになる。一方、リジェクト部２２には、リジェクト紙幣に加えて、アメリカドル、ユーロ以外の通貨種類の紙幣（例えば、トルコリラの紙幣）が集積されるようになる。なお、第３のスタッカ２５に集積されたユーロ紙幣については、図７のフローチャートに示すような２回目の計数処理を行ってもよい。
【０１０３】
以上のように、図１０および図１１に示すような紙幣処理装置１０の動作の第３の態様においては、予め指定された分類種別が特定のスタッカに対して予め割り当てられており、（具体的には、予め指定された分類種別として正券、損券が第１、第２のスタッカ２３、２４に対してそれぞれ予め割り当てられており）、予め指定された分類種別の紙幣が識別部３２により最初に識別されたときに、その紙幣の通貨種類が特定のスタッカ（具体的には、第１、第２のスタッカ２３、２４）に割り当てられるようになっている。そして、制御部４０は、識別部３２により識別された紙幣の通貨種類および分類種別の両方が複数のスタッカ２３、２４、２５の何れかに割り当てられているか否かを判定し（図１１のＳＴＥＰ４４）、紙幣の通貨種類および分類種別の両方が割り当てられている場合には（図１１のＳＴＥＰ４４の「ＹＥＳ」）、そのスタッカへ当該紙幣を搬送するよう制御を行うようになっている。このような紙幣処理装置１０の動作の第３の態様によれば、予め指定された分類種別について、紙幣の１回目の計数処理において通貨種類および分類種別の両方の仕分けを一度に行うことができるので、紙幣の仕分け作業をより一層効率的に行うことができるようになる。
【０１０４】
また、上述のような紙幣処理装置１０の動作の第３の態様においては、特定のスタッカ（第１、第２のスタッカ２３、２４）に対して通貨種類（例えば、アメリカドル）が割り当てられた後、他の通貨種類の紙幣（例えば、ユーロ紙幣）が識別部３２により識別されたときに、当該他の通貨種類を特定のスタッカ以外のスタッカ（第３のスタッカ２５）に割り当てるようになっている。
【０１０５】
なお、上述のような紙幣処理装置１０の動作の第３の態様においては、制御部４０は、識別部３２に最初に識別された紙幣の通貨種類を３以上のスタッカに割り当て、このうち２つのスタッカには予め指定された一の分類種別の各々が割り当てられるようになっていてもよい。すなわち、１枚目のアメリカドルの紙幣が識別部３２により識別されたときに、第１、第２のスタッカ２３、２４のみならず第３のスタッカ２５にも通貨種類としてアメリカドルが割り当てられるようになっていてもよい。この場合には、紙幣処理装置１０により処理されるべき紙幣にアメリカドルの紙幣が多く含まれる場合において、第３のスタッカ２５を予備のスタッカとして用いることができるようになり、紙幣の処理をより効率的に行うことができるようになる。
【０１０６】
また、紙幣処理装置１０の動作の更に他の態様において、紙幣の１回目の計数処理を行う際に、３以上の紙幣の正券／損券レベルである分類種別が１または複数の特定のスタッカに対して予め割り当てられていてもよい。ここで、３以上の紙幣の正券／損券レベルとは、例えばＡＴＭ正券（ＡＴＭで用いることができるような、通常の正券よりも新札に近い状態の正券）、通常の正券、および損券のことをいう。具体的には、一のスタッカに例えばＡＴＭ正券が予め割り当てられるとともに他のスタッカに例えば正券が予め割り当てられており、更に他のスタッカに例えば損券が割り当てられている。
【０１０７】
以下に示すような紙幣処理装置１０の動作の第４の態様においては、予め指定された分類種別としてＡＴＭ正券、正券、損券がそれぞれ特定の３つのスタッカに対して予め割り当てられている。具体的には、図１２に示すように、第１のスタッカ２３に分類種別としてＡＴＭ正券が予め割り当てられるとともに第２のスタッカ２４に分類種別として正券が予め割り当てられており、第３のスタッカ２５に分類種別として損券が予め割り当てられている。なお、これらの各スタッカ２３、２４、２５には通貨種類や金種は割り当てられていない。言い換えると、各スタッカ２３、２４、２５の設定は、それぞれ「通貨種類オート・金種オート・ＡＴＭ正券」「通貨種類オート・金種オート・正券」「通貨種類オート・金種オート・損券」となっている。
【０１０８】
紙幣処理装置１０の動作の第４の態様においては、図１１のフローチャートに示す動作と類似するような動作が行われる。紙幣処理装置１０の動作の第４の態様における紙幣の１回目の計数処理について、図４に示すような複数の紙幣の束が一括して紙幣処理装置１０の受入口２１に載置された場合の具体例を、図１１に示すフローチャートを参照して以下に説明する。
【０１０９】
図４に示すような複数の紙幣の束が一括して紙幣処理装置１０の受入口２１に載置されると、まずアメリカドルの紙幣が筐体１１内に取り込まれる。そして、１枚目のアメリカドルの紙幣が識別部３２により識別され、この１枚目のアメリカドルの紙幣が１００ドルのＡＴＭ正券であると識別部３２により識別されると、１枚目のアメリカドルの紙幣が識別部３２により識別された時点で特定のスタッカである各スタッカ２３、２４、２５には通貨種類が割り当てられていないので（図１１のＳＴＥＰ４２の「ＹＥＳ」）、これらの各スタッカ２３、２４、２５に通貨種類としてアメリカドルがそれぞれ割り当てられるようになる（図１１のＳＴＥＰ４３）。また、紙幣処理装置１０の動作の第４の態様では、識別部３２により識別された１枚目の紙幣の金種も各スタッカ２３、２４、２５にそれぞれ割り当てられるようになっている。具体的には、各スタッカ２３、２４、２５には金種として１金種目の１００ドルが割り当てられる。また、識別部３２により識別された１枚目のアメリカドルの紙幣は、分類種別としてＡＴＭ正券が割り当てられている第１のスタッカ２３に搬送される。
【０１１０】
その後、２枚目以降のアメリカドルの紙幣が識別部３２により識別されると、特定のスタッカである各スタッカ２３、２４、２５に通貨種類が既に割り当てられているため（図１１のＳＴＥＰ４２の「ＮＯ」）、この識別されたアメリカドルの紙幣が１００ドルのＡＴＭ正券である場合には、当該紙幣は分類種別として１００ドルのＡＴＭ正券が割り当てられている第１のスタッカ２３に搬送され、また、識別されたアメリカドルの紙幣が１００ドルの正券である場合には、当該紙幣は分類種別として１００ドルの正券が割り当てられている第２のスタッカ２４に搬送され、また、識別されたアメリカドルの紙幣が１００ドルの損券である場合には、当該紙幣は分類種別として１００ドルの損券が割り当てられている第３のスタッカ２５に搬送される（図１１のＳＴＥＰ４５）。このようにして、各スタッカ２３、２４、２５には、それぞれアメリカドルの１００ドルの紙幣のＡＴＭ正券、正券および損券がそれぞれ集積されるようになる（図１２参照）。一方、識別部３２により識別された紙幣の通貨種類がアメリカドルである場合でも、この紙幣の金種が１００ドル以外のものである場合には、当該紙幣はリジェクト部２２に搬送される（図１２参照）。
【０１１１】
次に、アメリカドルの紙幣に引き続いてユーロ紙幣やトルコリラの紙幣が筐体１１内に取り込まれる。しかしながら、各スタッカ２３、２４、２５には既に通貨種類としてアメリカドルが割り当てられており、通貨種類が割り当てられていないスタッカは存在しないため（図１１のＳＴＥＰ４４の「ＮＯ」およびＳＴＥＰ４６の「ＮＯ」）、これらのユーロ紙幣やトルコリラの紙幣はリジェクト部２２に搬送される（図１１のＳＴＥＰ４８）。
【０１１２】
このようにして、紙幣の１回目の計数処理が終了すると、第１のスタッカ２３にはアメリカドルの１００ドル紙幣のＡＴＭ正券が集積され、第２のスタッカ２４にはアメリカドルの１００ドル紙幣の正券が集積され、第３のスタッカ２５にはアメリカドルの１００ドル紙幣の損券が集積されるようになる。一方、リジェクト部２２には、リジェクト紙幣に加えて、アメリカドルの２金種目以降の紙幣（すなわち、１００ドル以外の金種のアメリカドルの紙幣）、ならびにアメリカドル以外の通貨種類の紙幣（例えば、ユーロ紙幣やトルコリラの紙幣）が集積されるようになる。
【０１１３】
以上のように、図１２に示すような紙幣処理装置１０の動作の第４の態様においては、予め指定された分類種別が特定のスタッカに対して予め割り当てられており（具体的には、予め指定された分類種別としてＡＴＭ正券、正券、損券が各スタッカ２３、２４、２５に対してそれぞれ予め割り当てられており）、予め指定された分類種別の紙幣が識別部３２により最初に識別されたときに、その紙幣の通貨種類が特定のスタッカ（具体的には、各スタッカ２３、２４、２５）に割り当てられるようになっている。そして、制御部４０は、識別部３２により識別された紙幣の通貨種類および分類種別の両方が複数のスタッカ２３、２４、２５の何れかに割り当てられているか否かを判定し（図１１のＳＴＥＰ４４）、紙幣の通貨種類および分類種別の両方が割り当てられている場合には（図１１のＳＴＥＰ４４の「ＹＥＳ」）、そのスタッカへ当該紙幣を搬送するよう制御を行うようになっている。このような紙幣処理装置１０の動作の第４の態様によれば、予め指定された分類種別について、紙幣の１回目の計数処理において通貨種類および分類種別の両方の仕分けを一度に行うことができるので、紙幣の仕分け作業をより一層効率的に行うことができるようになる。また、紙幣処理装置１０の動作の第４の態様によれば、３以上の紙幣の正券／損券レベル（具体的には、例えばＡＴＭ正券、正券、損券）について、紙幣の分類種別の仕分けを行うことができるようになる。
【０１１４】
なお、本発明による貨幣処理装置は、上記の態様に限定されるものではなく、様々の変更を加えることができる。例えば、貨幣処理装置として３つのスタッカと１つのリジェクト部とからなるものに限定されるものではなく、スタッカの数が４つ以上であったり、リジェクト部の数が２つ以上であったりしてもよい。この場合、スタッカの数が増えることによって、通貨の種類や分類種別を増やすことができる。また、貨幣処理装置として、紙幣の処理を行う紙幣処理装置の代わりに、硬貨の処理を行う硬貨処理装置を用いてもよい。この場合には、様々な発行国等により発行された硬貨が硬貨処理装置の受入口に混合状態で載置された場合において、本発明の貨幣処理装置の原理を用いることにより、硬貨の仕分け作業を効率的に行うことができる。また、他の変形例として、通貨種類は、貨幣の発行国等により定められるものに加え、バーコードチケットや小切手等の通貨代用媒体の種類を含むようにしてもよい。
【図１】
2012104990.tif 000003
【図２】
2012104990.tif 000004
【図３】
2012104990.tif 000005
【図４】
2012104990.tif 000006
【図５】
2012104990.tif 000007
【図６】
2012104990.tif 000008
【図７】
2012104990.tif 000009
【図８】
2012104990.tif 000010
【図９】
2012104990.tif 000011
【図１０】
2012104990.tif 000012
【図１１】
2012104990.tif 000013
【図１２】
2012104990.tif 000014
【国際調査報告】
2012104990.tif 000015
2012104990.tif 000016